(57)【要約】【課題】  従来、容器に内蔵されている液体を、一定量排出するには目測で計量していた。そこで、容器に計量機能付きキャップを装着して、簡単かつ容易に計量して排出する液体計量キャップを提供するものである。【解決手段】  本発明の液体計量キャップに、容器内の液体を計量する計量室と計量室に注ぐノズルを設け、  更に、計量室に外気が入る空気孔を設け、且つ、計量室内に貯留した液体を流出する排出口を設けて一定の液量を計量できるようにした液体計量キャップである。【選択図】図２
2012111554.tif 000002
【特許請求の範囲】
【請求項１】
容器の開口部に嵌着して容器内の液体を規定量ずつ排出できる液体計量キャップであって、該液体計量キャップの構造は、
キャップの上部に容器の開口部と嵌着する連結部を設け、更に、該連結部の連結口からキャップの底部方向に延びる注入ノズルを設けてノズルからの液体を計量する計量室を形成し、
更に、キャップの胴体には前記注入ノズルからの液体が計量室に貯留したとき液面および注出口より高い部位に排出口を設けたことを特徴とした液体計量キャップ。
【請求項２】
請求項１の該排出口の略対向部位に計量室に外気が入る空気孔を設けたことを特徴とした液体計量キャップ。
【請求項３】
請求項１または２項記載の排出口部に予備室を連結し、該予備室に新たに排出口を前記注入ノズルの注出口と同じ方向に設けたことを特徴とした液体計量キャップ。
【請求項４】
前記キャップの底部胴体を蛇腹状にするか、又は胴体を軟質な素材で制作して計量室の容積を変えることにより計量値を変えることができる請求項１乃至３のいずれか１項に記載の液体計量キャップ。
【請求項５】
前記キャップの胴体を２分割して嵌め込む部分を移動することによって、前記注入ノズルの注出口部位とキャップの底との間隔を調整可能にして計量室の容積を変えることにより計量値を変えることができる請求項１乃至３のいずれか１項に記載の液体計量キャップ。
【発明の詳細な説明】
【技術分野】
【０００１】  手間がかからず簡単かつ容易に容器内の液体を一定の量を計量して排出できる液体計量キャップに関するものである。
【背景技術】
【０００２】  液体を計量するとき、別の計量器に液体を注ぎ計量する場合が一般的であるが、１例として容器のキャップ内に計量室を設け容器を圧迫することにより一定の洗剤を計量室に押し出し目測にて計量した後、容器本体を傾けて計量室内の容液を注出口から注出するものがある。
しかしながら、一定量を計量するとき  計量室の洗剤をいちいち目測しなければならない。
【先行技術文献】
【特許文献】
【０００３】
【特許文献１】実開平６−１４０５４号
【特許文献２】特開平８−２１７１１８号  握
【発明の概要】
【発明が解決しようとする課題】
【０００４】  提案されている従来の技術では、液体を計量するとき  計量器で目測する必要があり手間である。
そこで、一定量の液体を使用する場合、目測をしなくても容器に装着してある液体計量キャップから必要な液量だけ排出する手段を提供するものである。
【課題を解決するための手段】
【０００５】  本発明の手段は、液体計量キャップを液体が入った容器本体の開口部に嵌着して使用するものである。嵌着とは螺合するか又は嵌合して嵌め込むことをいう。
この液体計量キャップには液体を貯留する計量室が設けられ、該計量室の底辺を下にしたときに上の容器の液体が注入ノズルから計量室に注出される。
更に、計量室の胴体には液体が外に流出しない位置に空気孔を設け、更に、計量室内に貯留した液体が容器を傾けると排出口から排出する構造にした。
但し、空気孔は排水口を十分広くして計量室内に大気圧がかかり且つ排水時にも排水口から計量室に空気が通れば必ずしも必要でない。【０００６】    更に、計量する液体の容量を変更可能なように、計量室の胴体の一部又は全体を蛇腹状にしたり、又は、胴体を軟質な素材で制作して押圧すれば容積が変わる手段を講じたり、或いは、キャップの胴体中間部近傍で２分割して嵌着可能とし、前記ノズルの注出口と計量室の底との間隔を調整可能にして、計量値を変更可能にしてもよい。
更に、前記計量室に予備室を連結して、計量した液体を一時予備室に貯蔵して、必要な時に予備室から流出する液体計量キャップも提供する。
又、注入ノズルや予備室等を脱着可能なように嵌着させ容易に分離可能な構造にしてもよい。
【発明の効果】
【０００７】  （１）  容器を下向に傾けるだけで、容易に容器内の液体が規定量ずつ計量し排出可能なので、従来のように目測する面倒さがなくなった。
（２）  キャップの底部胴体を蛇腹状にしたり、キャップの胴体を２分解して嵌着することによって、注入ノズルの注出口とキャップの底部との間隔を調整できるので、計量値を容易に変更できる。
（３）  キャップを軟質な素材で制作すれば、押圧するだけで計量室の容積が変えられ、計量値の変更が容易に出来る。
（４）  キャップの中間部近傍を分離可能にし、又、注入ノズル部や予備室等は脱着可能な構造にすることによって、各部が分解し清掃ができ常に清潔な状態に保てる。
【図面の簡単な説明】
【０００８】
【図１】本発明の縦断面図
【図２】本発明を容器に装着した縦断面図
【図３】図２を逆さまにした縦断面図
【図４】計量室から液体を排出しているときの縦断面図
【図５】計量室に蛇腹状計量室を装着し点線で動きを記した縦断面図
【図６】図１の計量室の隣に予備室を設けた縦断面図
【図７】液体計量キャップの胴体部を２分割して嵌着した状態を示す縦断面図
【発明を実施するための形態】
【実施例】
【０００９】  以下、本発明の実施の形態を説明する。
図１は本発明の液体計量キャップを示し、更に、該液体計量キャップを容器の開口部に嵌着した状態を図２、図３および図４に示す。
図３は図２容器の出口が下向きにした状態を示す。このとき、容器とキャップの連結部が嵌合式や螺旋式の構造であれ空気が入らないようにしっかり閉めなければならない。液体は容器の連結口から注入ノズルを通り計量室に流れる。計量室の液面が上昇して注入ノズル先端に接し液面が注出口を塞ぐと液面にかかる大気圧により液面の上昇が停止する。このため計量室に外気と通じる空気孔が必要となる。
但し、前述の如く、該空気孔は排水口を十分広くして計量室内に大気圧がかかり且つ排水時にも排水口から計量室に空気が通るのであれば必ずしも必要でない。
排水口は注入ノズルの注出口より高い部位に設ける。
この様な構造をした液体計量キャップは、  図４のように図３の容器を傾けていくと  計量室の液体は排出口に流れて他の容器に排出される。【００１０】  １種類の量の液体を計量するのであれば図１の計量室を固定したもので良いが２種類３種類の液体を計量するのであれば計量ごとに計量室の大きさを変化させなければならない。図５はその１例であるが  計量室の底部胴体を蛇腹状にし、胴体の一部に支点を有するレバー状のストッパーを設け、該ストッパーを固定する部位を決めて蛇腹を伸縮すれば計量室の液量が増減できる。図５は実線にて蛇腹が伸びたところを、点線にて蛇腹を短縮しストッパーが蛇腹底面を固定している様子を示している。例えば計量室の液量が１５ｃｃ、７．５ｃｃ、５ｃｃになるようにストッパーで支点部を調節固定できるようにすれば酒、醤油等を計量するのに便利である。図示しないが、その他の例として、計量室の胴体を軟質な素材で制作し、胴体を押圧して計量室の容積を変えることによって液量を変更することも可能である。
一定の液量を頻回に計量するときは  図６のように連結口と直角に計量室を設け、計量した液体を一時予備室に貯留してもよい。予備室の排水口と注出口とを同じ方向に向くようにすると排液時同時に計量室での計量が可能となる。尚、図１に示す液体計量キャップに予備室を連結することもできる。
本発明は大気圧を利用しているため  注出口が狭いと液体の表面張力または粘性にて液体は計量室に流れないので一定以上の口径が必要である。粘性の強い液体での使用は不利であり  水、茶、醤油等の利用には最適である。
図７は、液体計量キャップの胴体を２分割して嵌着可能とし、嵌め込み部を動かすことにより、計量値を変更可能にしたものである。
【符号の説明】
【００１１】  ［符号の説明］
１  連結部
２  連結口
３  注出口
４  計量室
５  空気孔
６  排出口
７  容器
８  液体
９  蛇腹
１０  ストッパー
１１  予備室
１２  注入ノズル
【図１】
2012111554.tif 000003
【図２】
2012111554.tif 000004
【図３】
2012111554.tif 000005
【図４】
2012111554.tif 000006
【図５】
2012111554.tif 000007
【図６】
2012111554.tif 000008
【図７】
2012111554.tif 000009